(57)【要約】【課題】  操作性の向上、および製品コストの削減を実現させることができるデジタルカメラの操作スイッチを提供する。【解決手段】  デジタルカメラ２の操作スイッチ１３は、押圧操作される押しボタンスイッチ２０と、押しボタン本体２４が嵌め込まれるケーシング２５に一体化して取り付けられたスライド板３４を備え、スライド操作されるスライドスイッチ２１と、ケーシング２５およびスライド板３４で兼用される操作桿を備え、前後左右に傾動操作されるジョイスティック２２と、ケーシング２５およびスライド板３４で兼用される操作摘みを備え、回動操作されるダイヤルスイッチ２３とからなる。【選択図】        図３
2006084552.tif 000002
【特許請求の範囲】
【請求項１】
ユーザーの操作に応答してデジタルカメラに特定の動作を実行させるためのデジタルカメラの操作スイッチであって、
押圧操作される押しボタンスイッチと、
押しボタンスイッチを構成する部材に一体化され、スライド操作されるスライドスイッチと、
前記押しボタンスイッチおよび前記スライドスイッチを構成する部材と兼用され、前後左右に傾動操作されるジョイスティック、並びに回動操作されるダイヤルスイッチとからなることを特徴とするデジタルカメラの操作スイッチ。
【請求項２】
前記押しボタンスイッチは、押しボタン本体と、押しボタン本体が嵌め込まれるケーシングと、押しボタン本体を初期位置に付勢する第１の付勢部材と、押しボタン本体が押圧されたことを検知する押圧操作検知部材とを備え、
前記スライドスイッチは、前記ケーシングの周面にスライド可能に一体化して取り付けられたスライド板と、スライド板を特定の位置に留まった状態で保持する第１の保持部材と、スライド板が特定の位置に移動されたことを検知するスライド操作検知部材とを備え、
前記ジョイスティックは、前記ケーシングおよび前記スライド板で兼用される操作桿と、操作桿を初期位置に付勢する第２の付勢部材と、操作桿を傾動可能に軸支する軸支部材と、操作桿が傾動されたことを検知する傾動操作検知部材とを備え、
前記ダイヤルスイッチは、前記ケーシングおよび前記スライド板で兼用される操作摘みと、操作摘みを特定の位置に留まった状態で保持する第２の保持部材と、操作摘みを回動可能に軸支する前記軸支部材と、操作摘みの回動方向を検知する回動方向検知部材と、操作摘みの回動位置を検知する回動位置検知部材とを備えたことを特徴とする請求項１に記載のデジタルカメラの操作スイッチ。
【請求項３】
前記押しボタンスイッチは、前記デジタルカメラにシャッタレリーズ動作を実行させるレリーズボタンとして機能することを特徴とする請求項１または２に記載のデジタルカメラの操作スイッチ。
【請求項４】
前記押しボタンスイッチは、前記デジタルカメラの各種選択項目を決定するための決定ボタンとして機能することを特徴とする請求項１ないし３のいずれかに記載のデジタルカメラの操作スイッチ。
【請求項５】
前記スライドスイッチは、被写体を撮影する撮影モード、撮影した画像を再生する再生モード、撮影条件を設定する設定モードを含む前記デジタルカメラの各種動作モードを切り替えるモード切り替えスイッチとして機能することを特徴とする請求項１ないし４のいずれかに記載のデジタルカメラの操作スイッチ。
【請求項６】
前記ジョイスティックは、前記デジタルカメラの各種選択項目を選択するための選択キーとして機能することを特徴とする請求項１ないし５のいずれかに記載のデジタルカメラの操作スイッチ。
【請求項７】
前記ダイヤルスイッチは、近距離で被写体を撮影するマクロ撮影モード、主要被写体に焦点を合わせて背景をぼかして撮影するポートレート撮影モードを含む前記デジタルカメラの各種撮影モードを切り替えるための撮影モード切り替えスイッチとして機能することを特徴とする請求項１ないし６のいずれかに記載のデジタルカメラの操作スイッチ。
【請求項８】
前記ダイヤルスイッチは、撮影した画像を再生する再生モード時に、再生画像の拡大・縮小を実行させるためのジョグダイヤルとして機能することを特徴とする請求項１ないし７のいずれかに記載のデジタルカメラの操作スイッチ。
【発明の詳細な説明】
【技術分野】
【０００１】
本発明は、ユーザーの操作に応答してデジタルカメラに各種動作を実行させるためのデジタルカメラの操作スイッチに関する。
【背景技術】
【０００２】
ＣＣＤなどの固体撮像素子で撮像した被写体光をデジタルの画像データに変換し、内蔵メモリやメモリカードなどに記録するデジタルカメラが普及している。このようなデジタルカメラには、シャッタレリーズ動作を実行させるためのレリーズボタンや、撮影モード、再生モード、設定モードなどの各種モードを切り替える切り替えスイッチ、各種選択項目を選択するための十字キー、選択項目を決定するための決定ボタンなど、様々なボタンやスイッチが設けられている。また、最近では、タッチパネルを搭載したデジタルカメラが提案されている（特許文献１参照）。
【特許文献１】特開２００４−３２３４６号公報
【発明の開示】
【発明が解決しようとする課題】
【０００３】
上記のように、従来のデジタルカメラには、機能の異なった多くのボタンやスイッチが独立して設けられているため、操作性の低下、部品点数の増大、製品の大型化などの問題が生じていた。
【０００４】
本発明は、上記課題を鑑みてなされたものであり、操作性の向上、および製品コストの削減を実現させることができるデジタルカメラの操作スイッチを提供することを目的とする。
【課題を解決するための手段】
【０００５】
上記目的を達成するために、本発明は、ユーザーの操作に応答してデジタルカメラに特定の動作を実行させるためのデジタルカメラの操作スイッチであって、押圧操作される押しボタンスイッチと、押しボタンスイッチを構成する部材に一体化され、スライド操作されるスライドスイッチと、前記押しボタンスイッチおよび前記スライドスイッチを構成する部材と兼用され、前後左右に傾動操作されるジョイスティック、並びに回動操作されるダイヤルスイッチとからなることを特徴とする。
【０００６】
なお、前記押しボタンスイッチは、押しボタン本体と、押しボタン本体が嵌め込まれるケーシングと、押しボタン本体を初期位置に付勢する第１の付勢部材と、押しボタン本体が押圧されたことを検知する押圧操作検知部材とを備え、前記スライドスイッチは、前記ケーシングの周面にスライド可能に一体化して取り付けられたスライド板と、スライド板を特定の位置に留まった状態で保持する第１の保持部材と、スライド板が特定の位置に移動されたことを検知するスライド操作検知部材とを備え、前記ジョイスティックは、前記ケーシングおよび前記スライド板で兼用される操作桿と、操作桿を初期位置に付勢する第２の付勢部材と、操作桿を傾動可能に軸支する軸支部材と、操作桿が傾動されたことを検知する傾動操作検知部材とを備え、前記ダイヤルスイッチは、前記ケーシングおよび前記スライド板で兼用される操作摘みと、操作摘みを特定の位置に留まった状態で保持する第２の保持部材と、操作摘みを回動可能に軸支する前記軸支部材と、操作摘みの回動方向を検知する回動方向検知部材と、操作摘みの回動位置を検知する回動位置検知部材とを備えることが好ましい。
【０００７】
前記押しボタンスイッチは、前記デジタルカメラにシャッタレリーズ動作を実行させるレリーズボタンとして機能することが好ましい。また、前記押しボタンスイッチは、前記デジタルカメラの各種選択項目を決定するための決定ボタンとして機能することが好ましい。
【０００８】
前記スライドスイッチは、被写体を撮影する撮影モード、撮影した画像を再生する再生モード、撮影条件を設定する設定モードを含む前記デジタルカメラの各種動作モードを切り替えるモード切り替えスイッチとして機能することが好ましい。
【０００９】
前記ジョイスティックは、前記デジタルカメラの各種選択項目を選択するための選択キーとして機能することが好ましい。
【００１０】
前記ダイヤルスイッチは、近距離で被写体を撮影するマクロ撮影モード、主要被写体に焦点を合わせて背景をぼかして撮影するポートレート撮影モードを含む前記デジタルカメラの各種撮影モードを切り替えるための撮影モード切り替えスイッチとして機能することが好ましい。さらに、前記ダイヤルスイッチは、撮影した画像を再生する再生モード時に、再生画像の拡大・縮小を実行させるためのジョグダイヤルとして機能することが好ましい。
【発明の効果】
【００１１】
本発明のデジタルカメラの操作スイッチによれば、押圧操作される押しボタンスイッチと、押しボタンスイッチを構成する部材に一体化され、スライド操作されるスライドスイッチと、押しボタンスイッチおよびスライドスイッチを構成する部材と兼用され、前後左右に傾動操作されるジョイスティック、並びに回動操作されるダイヤルスイッチとからなるので、操作性の向上、および製品コストの削減を実現させることができる。
【発明を実施するための最良の形態】
【００１２】
図１および図２において、デジタルカメラ２の前面には、撮像レンズ１０を保持するレンズ鏡胴１１、およびファインダ対物窓１２が組み込まれている。デジタルカメラ２の上面には、操作スイッチ１３が設けられており、側面には、メモリカード７６（図４参照）が着脱自在に装填されるメモリカードスロットを覆う蓋１４が設けられている。
【００１３】
デジタルカメラ２の背面には、ファインダ接眼窓１５、液晶表示器（ＬＣＤ）１６、電源ボタン１７、およびズーム操作ボタン１８が設けられている。ＬＣＤ１６は、撮影した画像やいわゆるスルー画像、各種メニュー画面を表示する。電源ボタン１７は、デジタルカメラ２の電源のオンオフを行う際に操作される。ズーム操作ボタン１８は、撮像レンズ１０のズーム倍率をワイド側、テレ側に変倍する際に操作される。
【００１４】
デジタルカメラ２では、静止画撮影を行う静止画撮影モード、撮影した画像をＬＣＤ１６に表示する再生モード、および各種設定を行う設定モードが選択可能となっている。また、静止画撮影モードには、近距離で被写体を撮影するマクロ撮影モード、主要被写体に焦点を合わせて背景をぼかして撮影するポートレート撮影モードなどがあり、これらの撮影モードも選択可能となっている。後述するように、これらのモードの切り替えは、操作スイッチ１３を操作することで行われる。
【００１５】
図３に示すように、操作スイッチ１３は、押しボタンスイッチ２０、スライドスイッチ２１、ジョイスティック２２、およびダイヤルスイッチ２３が一体化した構成となっている。
【００１６】
押しボタンスイッチ２０の押しボタン本体２４は、ケーシング２５に穿たれた円筒状の凹み２６に嵌め込まれている。押しボタン本体２４の下面、および凹み２６の底面には、円筒状のリブ２７、２８がそれぞれ形成されている。これらのリブ２７、２８には、押しボタン本体２４を、その先端が凹み２６から僅かに突出した初期位置に付勢するバネ２９が係合している。また、リブ２７、２８のそれぞれが対向する面には、接片３０、３１が形成されている。
【００１７】
凹み２６の周面には、スチールボールとバネとからなるクリックストップ機構３２が設けられている。一方、凹み２６の周面と摺接する押しボタン本体２４の周面には、クリックストップ機構３２のスチールボールが嵌合する窪み３３が形成されている。
【００１８】
押しボタン本体２４が初期位置からバネ２９の付勢に抗して下側に押圧されると、リブ２７、２８間のギャップ分、押しボタン本体２４が凹み２６の周面に沿って移動し、クリックストップ機構３２のスチールボールが窪み３３に嵌合するとともに、接片３０、３１が接触してＣＰＵ６４（図４参照）に電気信号が送信される。その後、押しボタン本体２４が離されると、バネ２９の付勢力によりクリックストップ機構３２のスチールボールと窪み３３との嵌合が解除され、押しボタン本体２４は初期位置に戻る。
【００１９】
押しボタンスイッチ２０は、自動露出調整（ＡＥ）、自動焦点調整（ＡＦ）などの各種撮影準備処理を実行させるとともに、シャッタレリーズ動作を実行させるレリーズボタンとして機能するとともに、ＬＣＤ１６に表示されるメニュー画面内で各種選択項目を決定するための決定ボタンとして機能する。実際の撮影時には、押しボタンスイッチ２０の１回目の押圧で撮影準備処理を行い、２回目の押圧でシャッタレリーズ動作を行う。なお、押しボタンスイッチ２０の１回目の押圧操作後、所定時間（例えば５秒間）経過後も２回目の押圧操作がされなかった場合は、撮影準備処理によってストックされたデータは破棄され、ＬＣＤ１６にスルー画像が表示される撮影待機状態に戻る。
【００２０】
スライドスイッチ２１は、中心部分に丸穴が開いた円環状のスライド板３４を備えている。スライド板３４は、ケーシング２５の周面に形成された切欠き３５にその丸穴部分が嵌め込まれ、ケーシング２５と一体化されている。
【００２１】
切欠き３５の周面と摺接するスライド板３４の丸穴部分には、一対のクリックストップ機構３６が設けられている。一方、スライド板３４の丸穴部分の周面と摺接する切欠き３５の周面には、クリックストップ機構３６のスチールボールが嵌合する窪み３７、３８、３９が形成されている。また、窪み３７、３８の表面には、接片４０、４１が形成されている。なお、図示はしていないが、スライド板３４の丸穴部分および切欠き３５の周面には、スライド板３４の移動を上下方向に規制するガイドレールおよびガイド溝が形成されている。また、各クリックストップ機構３６のスチールボールは、スライド板３４の内部で電気的な接続がなされている。
【００２２】
スライド板３４が図示する位置から上側にスライドされると、クリックストップ機構３６のスチールボールと窪み３９との嵌合が解除され、スライド板３４が切欠き３５の周面に沿って移動し、クリックストップ機構３６のスチールボールが窪み３８に嵌合してその位置に留まるとともに、スチールボールと接片４１とが接触してＣＰＵ６４に電気信号が送信される。この位置からさらにスライド板３４が上側にスライドされると、スチールボールと窪み３８との嵌合が解除され、スライド板３４が切欠き３５の周面に沿ってさらに移動し、スチールボールが窪み３７に嵌合してその位置に留まるとともに、スチールボールと接片４０とが接触してＣＰＵ６４に電気信号が送信される。
【００２３】
デジタルカメラ２では、スライド板３４が図示する最下段の位置にある場合（スチールボールと接片４０、４１とが接触しておらず、ＣＰＵ６４に電気信号が送信されていない場合）は静止画撮影モード、スライド板３４が中段の位置にある場合（スチールボールと接片４１とが接触してＣＰＵ６４に電気信号が送信された場合）は再生モード、スライド板３４が最上段の位置にある場合（スチールボールと接片４０とが接触してＣＰＵ６４に電気信号が送信された場合）は設定モードにそれぞれ切り替わる。
【００２４】
ケーシング２５およびスライド板３４は、ジョイスティック２２の操作桿として兼用されている。ケーシング２５の下部には、半球状のベース４２が取り付けられている。ベース４２の上側には、デジタルカメラ２の本体２ａ内に形成された溝４３に入り込むツバ４４が形成されている。
【００２５】
ツバ４４は、溝４３よりも寸法が若干小さくなっており、本体２ａ内に塵埃が侵入することを防止するとともに、本体２ａから操作スイッチ１３が抜けないように係止している。ケーシング２５およびスライド板３４からなる操作桿が前後左右に傾動操作されたときには、ツバ４４が溝４３の面に当接して、操作桿の傾動を規制するストッパとして機能する。
【００２６】
ベース４２の下部には、前後左右４方向に半球状の接片４５が配されている。一方、操作桿が前後左右に傾動操作されたときに、接片４５が接触する本体２ａ内の面には、接片４６が設けられている。
【００２７】
ベース４２の下部中央には、軸４７の一端が取り付けられている。軸４７は、操作桿の軸方向と平行に延設され、その他端には、球体４８が形成されている。球体４８は、本体２ａ内の軸受け４９に回動可能に取り付けられた回動板５０に形成された嵌合孔５１に嵌合している。これにより、軸４７が前後左右に傾動可能に回動板５０に軸支される。
【００２８】
軸４７には、バネ５２が挿通されている。バネ５２の一端はベース４２の下部に、他端は回動板５０に係合している。このバネ５２は、操作桿が前後左右に傾動操作された後、自動的に図示する中立位置に復帰するように、操作桿を付勢している。
【００２９】
操作桿が図示する中立位置から前後左右に傾動操作されると、球体４８を支点として、バネ５２の復元力に抗して軸４７が前後左右に傾動し、接片４５と接片４６とが接触してＣＰＵ６４に電気信号が送信される。操作桿から手が離されると、バネ５２の復元力により操作桿が中立位置に復帰する。
【００３０】
ジョイスティック２２は、ＬＣＤ１６に表示されるメニュー画面内で、各種選択項目を選択するカーソルを動かすための選択キーとして機能する。また、再生モード下で、再生画像が拡大・縮小されたときに、再生画像の表示領域をスクロールするためのスクロールキーとしても機能する。
【００３１】
ケーシング２５およびスライド板３４は、ダイヤルスイッチ２３の操作摘みとして兼用されている。回動板５０の周面には、所定の間隔毎（例えば３０°毎）に接片５３が形成されている。また、回動板５０の周面が摺接する軸受け４９の面には、接片５４が形成されている。
【００３２】
接片５３は、例えば特開２００２−２５８３７５号公報に開示されているように、共通端子部と、回動板５０の回動方向に関して互いに反対方向に幅のずれた２つの出力端子部とからなる。共通端子部には、接片５４のうちの１つが常に接触する。一方、出力端子部には、回動板５０が回動すると、接片５４の残りの２つが幅のずれ分の位相差で交互に接触する。つまり、出力端子部からの電気信号の位相差が遅れ位相であるか進み位相であるかをＣＰＵ６４で検出することにより、回動板５０の回動方向を認識することができる。
【００３３】
回動板５０の下部には、回動板５０の回動位置を検出するためのエンコーダ５５が設けられている。また、回動板５０の下面には、接片５６が設けられている。
【００３４】
エンコーダ５５は、本体２ａに固定されており、例えば特開２００２−１０７８１２号公報に開示されているように、回動板５０に対向する面に、共通端子部と、複数の互いに不連続な半円状の電極パターンからなる出力端子部とが形成されている。共通端子部には、
接片５６のうちの１つが常に接触する。一方、出力端子部には、回動板５０が回動すると、接片５６の残りの２つが接触する。つまり、出力端子部からの電気信号をＣＰＵ６４で検出することにより、回動板５０の回動位置を認識することができる。
【００３５】
回動板５０の下面には、軸受け４９の下部に設けられたクリックストップ機構５７のスチールボールが嵌合する溝５８が、周方向に等間隔で複数設けられている。これにより、ケーシング２５およびスライド板３４からなる操作摘みが回動操作されたときに、操作摘みが特定の位置に留まった状態で保持される。
【００３６】
操作摘みが回動操作されると、ベース４２およびバネ５２により連結された回動板５０が、軸受け４９に軸支されながら操作摘みの回動と連動して回動する。同時に、接片５３の出力端子部に接触する接片５４から、位相差の異なる電気信号が出力され、ＣＰＵ６４に送信される。また、エンコーダ５５に形成された電極パターンの出力端子部に接触する接片５６から、出力端子部の電極パターンの形状に応じた電気信号が出力され、ＣＰＵ６４に送信される。ＣＰＵ６４では、これらの電気信号から、回動板５０の回動方向および位置が検出される。
【００３７】
ダイヤルスイッチ２３は、静止画撮影モード下における各種撮影モード（マクロ撮影モード、ポートレート撮影モードなど）を切り替えるための撮影モード切り替えスイッチとして機能する。また、ダイヤルスイッチ２３は、再生モード時に、再生画像の拡大・縮小を実行させるためのジョグダイヤルとして機能する。
【００３８】
デジタルカメラ２の電気的構成を示す図４において、撮像レンズ１０および絞り６０には、レンズモータ６１およびアイリスモータ６２が接続されている。これらのモータ６１、６２はステッピングモータからなり、バス６３および後述する測光・測距回路７９を介してＣＰＵ６４に接続されたモータドライバ６５により駆動制御され、押しボタンスイッチ２０の１回目の押圧に伴う撮影準備処理を行う。
【００３９】
レンズモータ６１は、ズーム操作ボタン１８の操作に連動して、撮像レンズ１０のズームレンズをワイド側、テレ側に移動させる。また、被写体距離やズームレンズの変倍に応じて撮像レンズ１０のフォーカスレンズを移動させ、撮影条件が最適となるように焦点調整を行う。アイリスモータ６２は、絞り６０を動作させ、露出調整を行う。
【００４０】
絞り６０の背後には、撮像レンズ１０から入射する被写体光を撮像信号に変換するＣＣＤ６６が配置されている。ＣＣＤ６６で変換された撮像信号は、相関二重サンプリング回路（ＣＤＳ）６７に入力される。ＣＤＳ６７は、ＣＣＤ６６から入力された撮像信号を、ＣＣＤ６６の各セルの蓄積電荷量に正確に対応したＲ、Ｇ、Ｂの画像データとして出力する。
【００４１】
ＣＤＳ６７から出力された画像データは、増幅器（ＡＭＰ）６８で増幅される。Ａ／Ｄ変換器（Ａ／Ｄ）６９は、ＡＭＰ６８で増幅された画像データをデジタルの画像データに変換する。Ａ／Ｄ６９から出力されたデジタルの画像データは、画像信号処理回路７０に送信される。
【００４２】
画像信号処理回路７０は、階調変換、ホワイトバランス補正、γ補正処理などの各種画像処理を画像データに施す。画像信号処理回路７０で各種処理を施された画像データは、ＳＤＲＡＭ７１に一旦格納される。このＳＤＲＡＭ７１に格納された画像データは、ＬＣＤドライバ７２によりコンポジット信号に変換され、ＬＣＤ１６に表示される。
【００４３】
ＹＣ処理回路７３は、画像信号処理回路７０で各種処理を施された画像データをＳＤＲＡＭ７１から読み出して、輝度信号Ｙと色差信号Ｃｒ、Ｃｂとに変換する。圧縮伸長処理回路７４は、この変換された画像データに対して、所定の圧縮形式（例えばＪＰＥＧ形式）で画像圧縮を施す。圧縮伸長処理回路７４により圧縮された画像データは、カードＩ／Ｆ７５を介して、メモリカード７６に記録される。
【００４４】
タイミングジェネレータ（ＴＧ）７７は、前述のＡ／Ｄ６９、ＹＣ処理回路７３とともに、ＣＣＤ６６の駆動を制御するＣＣＤドライバ７８に接続している。ＴＧ７７は、これら各部にタイミング信号（クロックパルス）を送信する。ＣＣＤドライバ７８は、ＴＧ７７から送信されるタイミング信号に基づいて、ＣＣＤ６６による電子シャッタのシャッタ速度を調節する。
【００４５】
測光・測距回路７９は、被写体の輝度、および被写体と撮像レンズ１０との距離を検出し、ＣＰＵ６４に検出結果を送信する。ＣＰＵ６４は、この検出結果に基づいて、適正な焦点距離および露光量となるように撮像レンズ１０の各種パラメータを調整する。測光・測距回路７９は、ＣＰＵ６４からフィードバックされる調整信号を元に、モータドライバ６５を駆動制御し、撮像レンズ１０を駆動させる。
【００４６】
ＣＰＵ６４は、バス６３を介して各部に接続し、デジタルカメラ２全体の動作を統括的に制御する。ＣＰＵ６４には、前述の操作スイッチ１３などの他に、ＥＥＰＲＯＭ８０が接続されている。ＥＥＰＲＯＭ８０には、各種制御用のプログラムや設定情報などが記録されている。ＣＰＵ６４は、これらの情報をＥＥＰＲＯＭ８０から作業用メモリであるＳＤＲＡＭ７１に読み出して、各種処理を実行する。
【００４７】
次に、上記構成を有するデジタルカメラ２の動作について説明する。まず、電源ボタン１７が投入されて操作スイッチ１３のスライドスイッチ２１がスライド操作され、静止画撮影モードが選択されると、撮像レンズ１０を介して入射した被写体光は、ＣＣＤ６６により光電変換され、ＣＤＳ６７でサンプリングされる。
【００４８】
ＣＤＳ６７から出力された画像データは、ＡＭＰ６８で増幅され、Ａ／Ｄ６９でデジタルの画像データに変換される。デジタル変換された画像データは、画像信号処理回路７０で各種画像処理が施され、ＳＤＲＡＭ７１に順次格納される。ＳＤＲＡＭ７１に格納された画像データは、ＬＣＤドライバ７２を介して、ＬＣＤ１６にスルー画像として表示される。この状態で操作スイッチ１３の押しボタンスイッチ２０が押されると、自動露光調整（ＡＥ）、自動焦点調整（ＡＦ）などの各種撮影準備処理が施される。
【００４９】
撮影準備処理後、押しボタンスイッチ２０の２回目の押圧により撮影が実行されると、そのときＳＤＲＡＭ７１に格納されている画像データがＹＣ処理回路７３に読み出され、輝度信号Ｙと色差信号Ｃｒ、Ｃｂとに変換された後、圧縮伸長処理回路７４で圧縮処理が施され、カードＩ／Ｆ７５を経由してメモリカード７６に記録される。
【００５０】
静止画撮影モード下において、ダイヤルスイッチ２３が回動操作されると、その回動方向および位置がＣＰＵ６４により検出され、この検出結果に応じて、マクロ撮影モード、ポートレート撮影モードなどの各種撮影モードに切り替えられる。
【００５１】
スライドスイッチ２１がスライド操作され、再生モードが選択されると、メモリカード７６に記録された画像データがＳＤＲＡＭ７１に読み出され、ＬＣＤドライバ７２を経由してＬＣＤ１６に表示される。この状態でダイヤルスイッチ２３が回動操作されると、その回動方向および位置がＣＰＵ６４により検出され、この検出結果に応じて、ＬＣＤ１６に表示された再生画像の拡大・縮小が行われる。この状態でジョイスティック２２が傾動操作されると、その操作方向に応じて、拡大・縮小された再生画像の表示領域がスクロールされる。さらに、再生画像のサムネイルをＬＣＤ１６にインデックス表示したときに、ジョイスティック２２が傾動操作されると、サムネイルの選択カーソルが移動される。この状態で押しボタンスイッチ２０が押圧操作されると、そのときカーソルが合わされた画像がＬＣＤ１６に表示される。
【００５２】
各モード下において、ＬＣＤ１６に表示されるメニュー画面内で、ジョイスティック２２が傾動操作されると、選択項目のカーソルがジョイスティック２２の操作方向に応じて移動される。この状態で押しボタンスイッチ２０が押圧操作されると、そのときカーソルが合わされた選択項目が決定される。
【００５３】
上記のように、押しボタンスイッチ２０、スライドスイッチ２１、ジョイスティック２２、およびダイヤルスイッチ２３が一体化された操作スイッチ１３を用いたので、操作性の向上、および製品コストの削減を実現させることができる。
【００５４】
上記実施形態では、押しボタンスイッチ２０をレリーズボタンとして機能させ、１回目の押圧操作で撮影準備処理を施し、２回目の押圧操作で撮影を行うようにしたが、押しボタンスイッチ２０を２段階押しのスイッチとし、半押しで撮影準備処理を施し、全押しで撮影を行わせるようにしてもよい。
【図面の簡単な説明】
【００５５】
【図１】デジタルカメラの正面外観斜視図である。
【図２】デジタルカメラの背面外観斜視図である。
【図３】押しボタンスイッチの構成を示す断面図である。
【図４】デジタルカメラの電気的構成を示すブロック図である。
【符号の説明】
【００５６】
２  デジタルカメラ
１０  撮像レンズ
１３  操作スイッチ
１６  液晶表示器（ＬＣＤ）
２０  押しボタンスイッチ
２１  スライドスイッチ
２２  ジョイスティック
２３  ダイヤルスイッチ
２４  押しボタン本体
２５  ケーシング
２９、５２  バネ
３０、３１、４０、４１、４５、４６、５３、５４、５６  接片
３２、３６、５７  クリックストップ機構
３４  スライド板
４７  軸
４９  軸受け
５０  回動板
５５  エンコーダ
６４  ＣＰＵ
６６  ＣＣＤ
【図１】
2006084552.tif 000003
【図２】
2006084552.tif 000004
【図３】
2006084552.tif 000005
【図４】
2006084552.tif 000006